(57)【要約】【課題】着信メールの詳細を容易に確認できるようにする。【解決手段】折り畳み可能に構成される携帯端末装置であって、携帯端末装置が折り畳まれたときの内側および外側に位置するようにそれぞれ配置される第１および第２表示手段を備え、メールの着信時、折り畳まれたとき外側に位置する第２表示手段にタイトルを含め未続メールを表示し、折り畳まれたときの内側および外側に位置して設けられたスクロールキーの操作、あるいは折り畳み端末携帯端末装置を開くことにより、第１表示手段又は第２表示手段に継続してメールの詳細を表示することを特徴とする。【選択図】　　　図３
2004040290.tif 000002
【特許請求の範囲】
【請求項１】
折り畳み可能に構成される携帯端末装置であって、
前記携帯端末装置が折り畳まれたときの内側および外側に位置するようにそれぞれ配置される第１および第２表示手段と、
メールの着信時、折り畳まれたとき外側に位置する第２表示手段にタイトルを含め未続メールを表示する手段と、
前記未続メールの表示後、前記第１表示手段又は第２表示手段に継続して前記メールの詳細を表示する手段と、
を備えてなることを特徴とする携帯端末装置。
【請求項２】
前記未続メールの表示後、前記第１表示手段又は第２表示手段に継続して前記メールの詳細を表示する手段は、第２表示手段において詳細が表示され、前記携帯端末装置が折り畳まれたときの外側に設けられたスクロールキーにより詳細表示が指示されることを特徴とする請求項１に記載の携帯端末装置。
【請求項３】
前記携帯端末装置が折り畳まれているか否かを検出する検出手段を更に備え、
前記未続メールの表示後、前記第１表示手段又は第２表示手段に継続して前記メールの詳細を表示する手段は、第１表示手段において詳細が表示され、前記折り畳まれているか否かを検出する検出手段が前記携帯端末が折り畳み状態から開かれたことを検出したとき、前記第１表示手段におけるメールの詳細表示が指示されることを特徴とする請求項１に記載の携帯端末装置。
【発明の詳細な説明】
【０００１】
【発明の属する技術分野】
本発明は、折り畳み可能に構成されるとともに、折り畳まれたときの内側および外側にそれぞれ表示手段が配置された携帯端末装置に関し、さらに詳しくは折り畳み型の携帯電話機等において、メールの着信時、折り畳まれたとき外側に位置する表示手段にタイトルを含め未続メールを表示する携帯端末装置に関する。
【０００２】
【従来の技術】
折り畳み型のカメラ付携帯電話機として、折り畳まれたときに内側となる面および外側となる面それぞれにディスプレイを備えたものがある。内側のディスプレイはメイン表示体として比較的大きなサイズものが備えられ場合が多い。
【０００３】
折り畳み型のカメラ付携帯電話機の外側の面に配置されたディスプレイは、折り畳まれた状態でユーザに認識可能であり様々な用途に利用されている。一つの用途はメールの着信表示であり、従来、予め登録設定した発信者からのメールに対して、図６に示すように、外側の面に配置されたディスプレイ４０において、例えば、該当の発信者からのメールを受信したこと、発信者の名前、更にはメールのタイトル部分を抜き出して表示することが提案されている。
【０００４】
【発明が解決しようとする課題】
しかしながら、上記提案のものにおいては、更にメールの詳細を確認しようとすれば、折り畳み型の携帯電話機を開け、改めてメール取り扱いモードに選択しその上でメールボックスを開くなどの操作が必要であった。
【０００５】
本発明の目的は、メールの詳細を見るためのユーザの手間を省くことができる、操作性および利便性が向上した携帯端末装置を提供することである。
【０００６】
【課題を解決するための手段】
本発明は、折り畳み可能に構成される携帯端末装置であって、前記携帯端末装置が折り畳まれたときの内側および外側に位置するようにそれぞれ配置される第１および第２表示手段と、メールの着信時、折り畳まれたとき外側に位置する第２表示手段にタイトルを含め未続メールを表示する手段と、前記未続メールの表示後、前記第１表示手段又は第２表示手段に継続して前記メールの詳細を表示する手段とを備えてなることを特徴とする。
【０００７】
本発明によれば、タイトルを含めたメール着信に表示に継続してメールの詳細を見ることができる。
【０００８】
本発明は、また、前記未続メールの表示後、前記第１表示手段又は第２表示手段に継続して前記メールの詳細を表示する手段は、第２表示手段において詳細が表示され、前記携帯端末装置が折り畳まれたときの外側に設けられたスクロールキーにより詳細表示が指示されることを特徴とする。
【０００９】
本発明によれば、携帯電話機を折り畳んだ状態で、同じ外側に配置されたスクロールキーを操作するだけで、第２表示手段において更に詳細なメール内容を見ることができる。
【００１０】
本発明は、また、前記携帯端末装置が折り畳まれているか否かを検出する検出手段を更に備え、前記未続メールの表示後、前記第１表示手段又は第２表示手段に継続して前記メールの詳細を表示する手段は、第１表示手段において詳細が表示され、前記折り畳まれているか否かを検出する検出手段が前記携帯端末が折り畳み状態から開かれたことを検出したとき、前記第１表示手段におけるメールの詳細表示が指示されることを特徴とする。
【００１１】
本発明によれば、携帯電話機を折り畳んだ状態から開くだけで、内側の比較的大きい画面の第２表示手段において更に詳細なメール内容を見ることができる。
【００１２】
【発明の実施の形態】
図１は、本発明の実施の一形態である携帯電話機１００の構成を示すブロック図であり、図２は、携帯電話機１００の外観を示す斜視図である。図２（ａ）は、携帯電話機１００が開いた状態を示しており、図２（ｂ）は、携帯電話機１００が折り畳まれた状態を示している。本実施形態では、携帯端末装置の例として携帯電話機について説明する。
【００１３】
携帯電話機１００は、無線電波を介して基地局と無線通信を行い、音声データだけでなく、文字データおよび画像データなどを送受信することができる。また、図２に示すように、携帯電話機１００は、第１および第２筐体３０，３１からなり、第１および第２筐体３０，３１は、ヒンジ３２を介して連結され、ヒンジ３２を軸として角変位自在に動くことで折り畳み可能に構成されている。
【００１４】
図１に示すように携帯電話機１００は、制御部１、撮像部２、画像処理部３、第１メモリ４、第２メモリ５、第１表示ドライバ部６、第２表示ドライバ部７、第１表示部８、第２表示部９、第１バックライト１０、第２バックライト１１、キー操作部１２、外側操作キー１３ａ、１３ｂ、１３ｃ、開閉検出部１４、アンテナ１５、無線部１６および通信制御部１７を備えて構成される。
【００１５】
制御部１は、携帯電話機１００を構成する各部位の動作を制御する表示制御手段、シャッタボタン制御手段およびバックライト制御手段である。撮像部２は、撮像レンズと、ＣＣＤ（Ｃｈａｒｇｅ　Ｃｏｕｐｌｅｄ　Ｄｅｖｉｃｅ）イメージセンサあるいはＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）イメージセンサなどの撮像素子と、ＲＧＢの３色のカラーフィルタとを備える。撮像部２は、被写体で反射されて撮像レンズに入射した光を、カラーフィルタを通してＲＧＢの３色光にし、ＲＧＢの３色光をそれぞれ前記撮像素子によって電気信号に変換する。また、図２（ｂ）に示すように、撮像部２は、携帯電話機１００が折り畳まれたときの外側に位置するように設けられている。
【００１６】
画像処理部３は、増幅部、Ａ／Ｄ（アナログ／デジタル）変換部、信号処理部からなる。増幅部は、撮像部２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１から送られてくる制御信号に基づいて、信号処理を施した画像データを第１メモリ４に送る。撮像部２および画像処理部３は、入射光を電気信号に変換して画像データとして出力する撮像手段である。第１メモリ４は、信号処理部から連続的に送られてくる画像データを一時的に記憶している。たとえば、時間的に古い画像データは消去する、あるいは最も新しい画像データを上書きすることで一時的に記憶する。
【００１７】
制御部１は、第１および第２表示ドライバ部６，７に制御信号を送信するとともに、第１メモリ４に記憶された画像データを、第１および第２表示ドライバ部６，７に送る。第１および第２表示ドライバ部６，７は、第１および第２表示部８，９に表示しようとする画像データに従って、第１および第２表示部８，９の各画素電極に対して駆動電圧を印加する。第１および第２表示部８，９は、液晶ディスプレイおよびＥＬ（Ｅｌｅｃｔｒｏ　Ｌｕｍｉｎｅｓｃｅｎｃｅ）ディスプレイなどで実現され、第１および第２表示ドライバ部６，７を介して送られてくる画像データに基づく画像を表示する第１および第２表示手段である。また、図２（ａ）に示すように、第１表示部８は、携帯電話１００が折り畳まれたときの内側に位置するように配置されている。図２（ｂ）に示されるように、第２表示部９は、携帯電話機１００が折り畳まれたときに外側に位置するように配置されている。
【００１８】
第１および第２バックライト１０，１１は、発光素子である発光ダイオードなどから構成され、第１および第２表示部８，９に光を照射して輝度を増加させる。第１および第２バックライト１０，１１の点灯、消灯の制御および輝度調整などの制御は、制御部１によって行われる。また、第１および第２バックライト１０，１１は、各々独立して制御することが可能であり、画像が第１表示部８に表示されているときは第１バックライト１０が、第２表示部９に表示されている場合は第２バックライト１１が点灯するように制御される。
【００１９】
キー操作部１２は、数字および文字を入力するためのキー、およびシャッタボタン１２ａなどから構成される。シャッタボタン１２ａは、第１メモリ４に連続的に送られ、一時的に記憶されている画像データの中からユーザが保存を希望する画像データを、第２メモリ５に記憶させるときに、ユーザによって操作され、記憶させる旨の指示信号を制御部１に出力する。制御部１は、シャッタボタン１２ａからの指示信号に応答して、第１メモリ４に記憶されている画像データを第２メモリ５に記憶させる。また、第２メモリ５は、第１メモリ４に記憶されている画像データ、およびアンテナ１５を介して受信した各種受信データを記憶する記憶手段でもある。
【００２０】
シャッタボタン１２ａは、図２（ａ）において、キー操作部１２のいずれかのキーに単独あるいは兼用して割り当ててもよいし、図示のようにキー操作部１２近傍に別途特別に配置してもよい。あるいは前記に追加して、図２（ｂ）に示すように、第２表示部９の近傍など、携帯電話１００が折り畳まれたときの外側に位置するように配置された外側操作キー１３ａ、１３ｂ、１３ｃのいずれかを撮影モードにおいて兼用してもよい。
【００２１】
開閉検出部１４は、携帯電話機１００が折り畳まれているか否かを検出する検出手段である。図２（ａ）に示すように、第１筐体３０下部のヒンジ３２近傍には小さな突起１４ａが形成されており、第２筐体３１上部のヒンジ３２近傍には小さな孔１４ｂが形成されている。孔１４ｂの内部には図示しないが周知の開閉スイッチが設けられている。開閉検出部１４は、突起１４ａ、孔１４ｂおよびスイッチから構成される。
【００２２】
アンテナ１５は、無線電波を介して基地局と無線通信を行うときに、音声データ、文字データおよび画像データなどを送受信する。無線部１６は、受信時は、基地局からアンテナ１５を介して受信したデータを復調し、送信時は、通信制御部１７から送られてくる文字データおよび画像データなどを変調して増幅し、アンテナ１５を介して基地局に送信する。通信制御部１７は、無線部１６が復調した文字データおよび画像データなどの受信データを所定の通信プロトコルに基づいて制御部１に送る。無線部１６、通信制御部１７を介して受信した相手先からの受信データは、第２メモリ５に記憶される。
【００２３】
なお、撮像部２は、携帯電話機１００が折り畳まれたときの外側に設けられているので、携帯電話機１００のユーザ以外の被写体を撮像するときは、ユーザは、携帯電話機１００を開いた状態で撮像部２をユーザと反対側にある被写体側に向けて撮像する。この状態では、携帯電話機１００が開いていることが開閉検出部１４によって検出され、内側の面に配置したシャッタボタン１２ａからの指示が有効となる。ユーザは、ファインダである第１表示部８を見ながら、第１表示部８と同じ側に配置されている内側のシャッタボタン１２ａを操作する。
【００２４】
一方、ユーザ以外の被写体を撮像するときは、ユーザは、携帯電話機１００を折り畳んだ状態で撮像部２をユーザ側に向けて撮像する。この状態では、携帯電話機１００が折り畳まれていることが開閉検出部１４によって検出され、外側操作キーを兼用した、例えば真中のキー１３ｂからの指示が有効となる。ユーザは、ファインダである第２表示部９を見ながら、第２表示部９と同じ側に配置されているシャッタボタンすなわち外部操作キー１３ｂを操作する。
【００２５】
このように、携帯電話機１００を折り畳むもしくは開くだけでファインダとして使用する第１または第２表示部８，９と同じ側に位置する第１、第２シャッタボタン１２ａ、１３ｂからの指示が有効となるので、ユーザは第１または第２シャッタボタンを見て確認しながら入力することができ、操作性が向上する。
【００２６】
図３は、携帯電話機１００のメール受信時の第２表示部９の表示例を説明する図、図４は動作例を説明するフローチャートである。
【００２７】
携帯電話機１００が折り畳まれた状態でメール受信があると、第２表示部９では任意の待ち受け画面から着信を表示する画面（図３の画面例（１））に変化する（図４、ステップ３）。ここで外部操作キー１３ｂを操作すると（図４、ステップ４）、発信者名、タイトル名を含むメール確認の画面（図３の画面例（２））が表示される（図４、ステップ５）。なお、図３の画面例（１）から画面例（２）への変化はプライベート性等を考慮したものであるが、メール着信があったとき、任意の待ち受け画面（図４、ステップ１）から、直接、図３の画面例（２）に示されるような発信者名、タイトル名を含むメール確認の画面（図４、ステップ５）に移行するようにしても良い。
【００２８】
図２（ｂ）において外側操作キー１３ａ、１３ｃはスクロールキーとして機能するよう設定されている。したがって、図３の画面例（２）のように、発信者名、タイトル名を含むメール確認の画面において、外側操作キー１３ａ、１３ｃのいずれかを操作することにより（図４、ステップ６）、第２表示部９において、メールの更なる詳細表示を指示することができる。図３の画面例（３）は第２表示部９における表示例を示している。タイトルだけで十分な場合は外部操作キー１３ｂを操作することにより待ち受け画面に復帰させることができる。
【００２９】
なお、図４のステップ３においてスクロールキーとして機能させた外部操作キー１３ａ又は１３ｃを長押しすることにより先のメール受信、後のメール受信を選択して読み出すことができる。
【００３０】
図５は他の動作例を説明するフローチャートである。図５は折り畳み型携帯電話機を開くことにより内面に設けた第１表示部８においてメールの詳細を表示するものである。
【００３１】
発信者名、タイトル名を含むメール確認の画面（図３の画面例（２））が表示される（図５、ステップ１〜５）までは上記の例と同様であり、説明を省略する。この状態より折り畳み型携帯電話機を開くと開閉検出部１４がこれを検出し（図５、ステップ１０）、内面の比較的大きいサイズの第１表示部８においてメールの詳細を表示する（図５、ステップ１１）。
【００３２】
また、このように携帯電話機１００の開閉を検出することによって、詳細なメールの表示に切り換わるので、ユーザは切り換えのためのボタン操作を行う必要がなく、切り換えのための手間が省かれ、操作性および利便性が向上する。
【００３３】
図４および図５で説明した動作は、携帯電話機においてそれぞれ単続に採用しても良いし、組合せて採用しても良いことは言うまでもない。
【００３４】
なお、図２（ａ），（ｂ）において、第１および第２表示部８，９は、第１筐体３０に配置されている場合を示したが、これに限らず、第１および第２表示部８，９はそれぞれ、携帯電話機１００が折り畳まれたときの内側および外側に位置するように配置すればよい。
【００３５】
また、本実施形態では、携帯端末装置として携帯電話機１００について説明したが、これに限らず、ノート型ＰＣ（パーソナルコンピュータ）、ＰＤＡ（Ｐｅｒｓｏｎａｌ　Ｄｉｇｉｔａｌ　Ａｓｓｉｓｔａｎｃｅ）などであって、折り畳み可能に構成され、撮像部とともに、折り畳まれたときの内側および外側にそれぞれ表示部を備える構成であれば、本発明は適用可能である。
【００３６】
【発明の効果】
以上のように本発明によれば、折り畳まれたとき外側に位置する第２表示手段にタイトルを含め未続メールを表示するものにあって、タイトルを含めたメール着信に表示に継続してメールの詳細を知ることができる。
【００３７】
本発明は、また、携帯電話機を折り畳んだ状態で、同じ外側に配置されたスクロールキーを操作するだけで、第２表示手段において更に詳細なメール内容を知ることができ、あるいは、携帯電話機を折り畳んだ状態から開くだけで、内側の比較的大きい画面の第１表示手段において更に詳細なメール内容を知ることができる有用な携帯機器を提供する。
【図面の簡単な説明】
【図１】本発明の実施の一形態である携帯電話機の構成を示すブロック図である。
【図２】携帯電話機１００の外観を示す斜視図である。
【図３】本発明の実施の一形態である表示例を説明する図である。
【図４】本発明の実施の一形態である動作例を説明するフローチャートである。
【図５】本発明の実施の他の形態である表示例を説明するフローチャートである。
【図６】従来技術を説明する図である。
【符号の説明】
１　制御部
３　画像処理部
４　第１メモリ
５　第２メモリ
６　第１表示ドライバ部
７　第２表示ドライバ部
８　第１表示部
９　第２表示部
１２　キー操作部
１３ａ、１３ｂ、１３ｃ　外部操作キー
１４　開閉検出部
１７　通信制御部
３０　第１筐体
３１　第２筐体
３２　ヒンジ
１００　携帯電話機
【図１】
2004040290.tif 000003
【図２】
2004040290.tif 000004
【図３】
2004040290.tif 000005
【図４】
2004040290.tif 000006
【図５】
2004040290.tif 000007
【図６】
2004040290.tif 000008